(57)【特許請求の範囲】
【請求項１】
商品コードの入力を受付けるコード受付手段と、
値引企画ごとに、合計買い上げ金額に応じて値引対象商品に対する値引額が段階的に増額するよう設定された複数の値引適用価格と、各値引適用価格を適用できる合計買い上げ金額を設定した設定金額とを対応付けて記憶する記憶部を参照して、前記商品コードの商品が前記値引対象商品であれば、対応する値引企画を報知するメッセージを客用表示器に表示する第１表示制御手段と、
商品を販売登録する登録画面を前記客用表示器に表示し、当該登録画面において、前記値引企画を報知するメッセージと、前記値引適用価格ごとの前記設定金額とを表示する第２表示制御手段と、
合計買い上げ金額が前記設定金額のうち少なくともいずれか１つに達していれば、達している前記設定金額のうち最も高い前記設定金額に対する前記値引適用価格を値引対象商品の販売価格に適用して値引き登録をする販売登録手段と、
を備える販売データ処理装置。
【請求項２】
合計買い上げ金額が前記設定金額のうち少なくともいずれか１つに達している場合に、値引成立を示す値引成立画面を前記客用表示器に表示する第３表示制御手段を更に備える、請求項１に記載の販売データ処理装置。
【請求項３】
前記値引成立画面において客の確認操作を受付ける確認ボタンを設けた、請求項２に記載の販売データ処理装置。
【請求項４】
前記記憶部は、値引企画ごとに、その値引企画の適用期間である値引適用期間を記憶し、
前記販売登録手段は、前記値引適用期間内である前記値引企画について、前記合計買い上げ金額が達している前記設定金額のうち最も高い前記設定金額に対する前記値引適用価格をその値引対象商品の販売価格に適用し、
前記第１表示制御手段および前記第２表示制御手段は、前記客用表示器において前記値引企画を報知するメッセージとともに前記値引適用期間を表示する、請求項１ないし３のいずれか１つに記載の販売データ処理装置。
【請求項５】
前記販売登録手段が前記値引適用価格を適用する場合に、当該値引対象商品に前記値引適用価格が適用される旨と、適用される前記値引企画を示す情報とをレシートに印字させる印字制御手段をさらに備える、請求項１ないし４のいずれか１つに記載の販売データ処理装置。
【請求項６】
販売データ処理装置を制御するコンピュータを、
商品コードの入力を受付けるコード受付手段と、
値引企画ごとに、合計買い上げ金額に応じて値引対象商品に対する値引額が段階的に増額するよう設定された複数の値引適用価格と、各値引適用価格を適用できる合計買い上げ金額を設定した設定金額とを対応付けて記憶する記憶部を参照して、前記商品コードの商品が前記値引対象商品であれば、対応する値引企画を報知するメッセージを客用表示器に表示する第１表示制御手段と、
商品を販売登録する登録画面を前記客用表示器に表示し、当該登録画面において、前記値引企画を報知するメッセージと、前記値引適用価格ごとの前記設定金額とを表示する第２表示制御手段と、
合計買い上げ金額が前記設定金額のうち少なくともいずれか１つに達していれば、達している前記設定金額のうち最も高い前記設定金額に対する前記値引適用価格を値引対象商品の販売価格に適用して値引き登録をする販売登録手段と、
として機能させるプログラム。
【発明の詳細な説明】
【技術分野】
【０００１】
本発明の実施形態は、販売データ処理装置およびプログラムに関する。
【背景技術】
【０００２】
近年、客の購買意欲を向上させることを図って、値引販売の種類や値引方法が多様化している。例えば、客が買い上げる商品の合計買い上げ金額が所定の金額に達した場合に、所定の商品を値引販売し、合計買い上げ金額がさらに別の金額に達した場合に、その商品をさらに値引して販売する値引形態がある。従来、このような値引販売については、キャッシャが合計金額に基づいて値引処理を行っていた。
【発明の概要】
【発明が解決しようとする課題】
【０００３】
しかしながら、上述で例示したように多様化した値引販売に対して、迅速かつ正確に値引を行うためにはキャッシャの負担が大きいという課題があった。また、商品の販売登録および会計処理を客自身が行うためのセルフチェックアウト装置（セルフＰＯＳ（Point  Of  Sales）装置、セルフレジ）においても、客に負担をかけずに複雑化した値引販売を適用したいという要望があった。
【課題を解決するための手段】
【０００４】
実施形態の販売データ処理装置は、コード受付手段と、第１表示制御手段と、第２表示制御手段と、販売登録手段とを備える。コード受付手段は、商品コードの入力を受付ける。販売登録手段は、前記コード受付手段が受付けた前記商品コードの商品を客が買い上げる商品として販売登録し、客が買い上げる商品の合計買い上げ金額を算出する。第１表示制御手段は、値引企画ごとに、合計買い上げ金額に応じて値引対象商品に対する値引額が段階的に増額するよう設定された複数の値引適用価格と、各値引適用価格を適用できる合計買い上げ金額を設定した設定金額とを対応付けて記憶する記憶部を参照して、前記商品コードの商品が前記値引対象商品であれば、対応する値引企画を報知するメッセージを客用表示器に表示する。第２表示制御手段は、商品を販売登録する登録画面を前記客用表示器に表示し、当該登録画面において、前記値引企画を報知するメッセージと、前記値引適用価格ごとの前記設定金額とを表示する。販売登録手段は、合計買い上げ金額が前記設定金額のうち少なくともいずれか１つに達していれば、達している前記設定金額のうち最も高い前記設定金額に対する前記値引適用価格を値引対象商品の販売価格に適用して値引き登録をする。
【図面の簡単な説明】
【０００５】
【図１】図１は、本実施形態にかかるセルフＰＯＳの構成を示す外観斜視図である。
【図２】図２は、セルフＰＯＳの機能的構成を示すブロック図である。
【図３】図３は、値引企画マスタの一例を説明する図である。
【図４】図４は、値引企画マスタの他の例を説明する図である。
【図５】図５は、登録画面の一例を示す図である。
【図６】図６は、商品確認画面の一例を示す図である。
【図７】図７は、値引に関する表示メッセージが表示された商品確認画面の一例を示す図である。
【図８】図８は、値引成立画面の一例を示す図である。
【図９】図９は、会計画面の一例を示す図である。
【図１０】図１０は、値引に関する印字メッセージが印字されたレシートの一例を示す図である。
【図１１】図１１は、セルフＰＯＳが実行する販売登録処理の手順を示すフローチャートである。
【発明を実施するための形態】
【０００６】
以下では、スーパーマーケット等の店舗に設置されて用いられるセルフチェックアウト装置（以降、単にセルフＰＯＳと称する）を、本実施形態に係る販売データ処理装置として用いる場合について説明する。尚、実施形態はこれに限定されるものではなく、店員が操作するＰＯＳ端末に、本実施形態を適用するとしてもよい。
【０００７】
図１は、本実施形態にかかるセルフＰＯＳ１の構成を示す外観斜視図である。セルフＰＯＳ１の本体２は、タッチパネル３ａが表面に配設されたディスプレイ３ｂや、商品に付されたバーコードや二次元コード等のコードシンボルを読み取るためのスキャナ４（本体２のスキャナ４）およびハンドスキャナ５を備えている。
【０００８】
ディスプレイ３ｂとしては例えば液晶表示器が用いられる。ディスプレイ３ｂは、客にセルフＰＯＳ１の操作方法を知らせるための案内画面や、コードシンボルが付されていない商品の商品情報を入力するための入力画面や、スキャナ４やハンドスキャナ５で読み込んだ商品情報を表示する登録画面、商品の合計金額や預かり金額、釣銭額等を表示し、支払い方法の選択をする精算画面等を表示する。
【０００９】
スキャナ４は、客が商品に付されたコードシンボルをスキャナ４の読み取り窓にかざすことでコードシンボルを光学的に読み取るものである。また、例えばダンボール箱や長尺の商品などの大型の商品に関しては、商品に付されたコードシンボルをスキャナ４の読み取り窓にかざすことは難しいため、客はハンドスキャナ５を用いてコードシンボルを読み取ることが可能である。
【００１０】
また、本体２の右側にはかごに入った未清算の商品を置くための商品載置台６が設けられ、本体２の左側には精算済みの商品を置くための商品載置台７が設けられ、精算済みの商品を入れるための袋を掛けるための袋掛けフック８や、精算済みの商品を袋に入れる前に一時的に置いておくための一時置き台９が設けられている。商品載置台６および７には計量器が備えられており、精算の前後で商品の重量が同じであることを確認する機能を有している。
【００１１】
また、セルフＰＯＳ１の本体２には、精算時に客のポイントカードやクレジットカードを挿入するためのカード挿入口１０や、レシートを発行するレシート発行口１１が設けられ、さらに、精算用の紙幣の入金や釣り紙幣の受け取りを行うための紙幣入出金口１２、精算時に硬貨を投入するための硬貨投入口１３、釣り硬貨を受け取るための硬貨取出口１４等が設けられている。さらに、本体２の上面にはポールが備えられており、そのポールの上部には、セルフＰＯＳ１での操作に異常があった場合や店員を呼び出す場合等に点灯する警告灯１５が設けられている。
【００１２】
次に、セルフＰＯＳ１の機能的構成について説明する。図２は、セルフＰＯＳ１の機能的構成を示すブロック図である。セルフＰＯＳ１は、ＣＰＵ（Central  Processing  Unit）と、記憶手段として機能するＲＯＭ（Read  Only  Memory）およびＲＡＭ（Random  Access  Memory）（いずれも不図示）等から構成されるコンピュータ構成の制御部５０を備えている。ＲＯＭは、ＣＰＵが実行する各種プログラムや各種データを記憶する。ＲＡＭは、ＣＰＵが各種プログラムを実行する際に一時的にデータやプログラムを記憶するものであり、商品の販売記録を示す販売データや、ディスプレイ３ｂに表示する各種の画面表示データを記憶するものである。
【００１３】
制御部５０は、Ｉ／Ｏ（Input/Output）機器制御部３９およびバス３８を介して、タッチパネル３ａ、ディスプレイ３ｂ、スキャナ４、ハンドスキャナ５、警告灯１５、カードリーダ３０、レシートプリンタ３１、紙幣入出金ユニット３２、硬貨投入ユニット３３、硬貨排出ユニット３４、ＨＤＤ（Hard  Disk  Drive）３５等のＩ／Ｏ機器を制御し、セルフＰＯＳ１のシステム全体を制御するものである。
【００１４】
カードリーダ３０は、カード挿入口１０から挿入された客のポイントカードやクレジットカードの情報を読み込むものである。レシートプリンタ３１は、会計処理後にレシートを印刷して、これをレシート発行口１１から発行するものである。紙幣入出金ユニット３２は、紙幣入出金口１２から入金または出金される紙幣を処理するものである。また、硬貨投入ユニット３３は硬貨投入口１３から投入される硬貨を、硬貨排出ユニット３４は硬貨取出口１４に排出される硬貨を処理するものである。
【００１５】
ＨＤＤ３５は、値引企画マスタ３６を格納している。図３は、値引企画マスタ３６の一例を説明する図である。図３に示すように、値引企画マスタ３６には、値引企画ごとに、この値引企画の対象である値引対象商品の商品コード、この値引企画の適用期間である値引適用期間、値引対象商品の定価（値引前の販売価格）、この値引対象商品に対してディスプレイ３ｂに表示される表示メッセージ、この値引企画を示す情報としてレシートに印字される印字メッセージ等をそれぞれ設定することができる。
【００１６】
また、値引企画マスタ３６には、客が買い上げる商品の合計買い上げ金額に応じて、値引対象商品に対する値引額が段階的に増額するよう複数の値引適用価格が設定される。さらに、値引企画マスタ３６には、各値引適用価格を適用できる合計買い上げ金額を設定した設定金額が、各値引適用価格に対応付けて設定される。
【００１７】
即ち、図３に示すように、値引企画マスタ３６には、値引対象商品を値引するための条件として、複数の合計買い上げ金額が設定金額１〜３として設定される。また、設定金額１〜３は段階的にその金額が高くなるように設定される。そして、値引企画マスタ３６には、一取引の合計買い上げ金額が設定金額１に達した場合には値引適用価格１が、設定金額２に達した場合には値引適用価格２が、設定金額３に達した場合には値引適用価格３が、値引対象商品に対して夫々適用されるように設定されている。図３に示すように、値引適用価格１〜３は、合計買い上げ金額が高額となるにつれ値引額が段階的に増額するよう設定される。好適な実施形態としては、値引適用価格１〜３は、設定金額１〜３が高額となるにつれ値引率が増加するよう設定されることが好ましい。これにより顧客の購買意欲を向上させやすくなる。
【００１８】
尚、値引企画マスタ３６に設定されるデータのうち、値引対象商品の商品コード、値引適用期間、設定金額１〜３は、値引が成立するか否かを判定するための値引条件として用いられる。
【００１９】
尚、値引企画マスタ３６には、図３で上述したように設定金額１〜３と値引適用価格１〜３とを１対１の対応で設定するとしてもよいし、その他の設定方法を適用してもよい。図４は、値引企画マスタ３６のその他の一例を示す図である。図４では、図３に示した値引条件１と実質的に同様の値引条件が設定されている例を示している。即ち、合計買い上げ金額が５００円となった場合、かつ５００円から合計買い上げ金額が５００円ずつ増額する毎に値引条件が満たされる旨が設定されており、値引が適用される合計買い上げ金額の最高額は１５００円と設定されている。そして、値引適用価格の初期値として２００円が設定され、合計買い上げ金額が５００円増えるごとに、値引増加額に設定された５０円ずつ値引額が増加される旨が設定されている。他の設定事項は図３と同様である。
【００２０】
図２に戻って、制御部５０は、通信Ｉ／Ｆ３７を介してＬＡＮ（Local  Area  Network）等のネットワークＮＴで接続されたストアサーバ２０やセルフチェックの各処理を補助する店員（アテンダント）用のアテンダント端末（不図示）と相互に通信を行うことできる。ストアサーバ２０は店舗内に設置された１台または複数台のセルフＰＯＳ１で行われる商品販売登録処理等の管理を全般的に行う。
【００２１】
ストアサーバ２０は、図２に示すように、ＣＰＵ、ＲＯＭ、ＲＡＭを備える制御部２１と、通信Ｉ／Ｆ２２と、ディスプレイ２３と、キーボード２４等の入力装置とを備える通常のコンピュータ構成を備えている。制御部２１は、通信Ｉ／Ｆ２２およびネットワークＮＴを介してセルフＰＯＳ１とデータ通信を行い、値引企画マスタ３６のデータを更新したり、編集したりすることができる。
【００２２】
次に、セルフＰＯＳ１のより詳細な機能的構成について説明する。セルフＰＯＳ１の制御部５０は、ＲＯＭに格納された本実施形態のプログラムをＲＡＭに展開して実行することにより、図２に示すように、表示制御部５１と、入力受付部５２と、値引判定部５３と、報知部５４と、販売登録部５５と、印字制御部５６として機能する。
【００２３】
表示制御部５１は、Ｉ／Ｏ機器制御部３９を介してディスプレイ３ｂにおける表示処理を制御し、商品を登録するための登録画面４１（図５参照）等の各種画面を表示させる。
【００２４】
図５は、登録画面４１の一例を示す図である。図５に示すように、登録画面４１には、販売登録された商品の商品名や数量、商品価格や合計金額等の各種情報が表示される。また、登録画面４１には、会計処理を開始するための会計ボタン４１３が設けられている。さらに、登録画面４１には、値引対象商品の商品コードがスキャナ４またはハンドスキャナ５によって読み込まれた場合に、その商品が値引対象商品であることを示す表示メッセージ４１１、４１２等が表示される。
【００２５】
また、表示制御部５１は他にも、販売登録する商品を確認するための商品確認画面４２（図６参照）、４３（図７参照）、値引が成立したことを客に報知するための値引成立画面４４（図８参照）、一取引の会計処理を行うための会計画面４５（図９参照）等の画面を表示させる。図６〜図９の各画面については後述する。
【００２６】
入力受付部５２は、スキャナ４またはハンドスキャナ５が商品に付されたコードシンボルに記憶されている商品コード等の商品情報を読み込んだ場合に、その商品情報の入力を受付ける。また、入力受付部５２は、ディスプレイ３ｂに表示された入力画面において商品名や数量を示す入力ボタンがタッチ入力された場合等に、タッチパネル３ａに対する入力に基づいて、客が買い上げる商品に対応する商品コードを記憶部等から読み出して、その商品コードの入力を受付ける。
【００２７】
値引判定部５３は、入力受付部５２が受付けた商品コードと、値引企画マスタ３６に設定されている値引条件とに基づいて、その商品コードの商品に対する値引きが成立するか否かを判定する。
【００２８】
即ち、値引判定部５３は、値引企画マスタ３６に基づいて、入力受付部５２が受付けた商品コードの商品が、値引対象品であるか否かについて判定する（値引条件１）。また、値引判定部５３は、現在の日時（曜日、期間、時間帯など）が、その値引企画の値引適用期間内であるか否かを判定する（値引条件２）。また、値引判定部５３は、販売登録部５５が算出した合計買い上げ金額が、設定金額１〜３の少なくともいずれか１つに達しているか否かを判定する（値引条件３）。そして、値引判定部５３は値引条件１〜３の全てが満たされた場合に、その値引企画に関する値引が成立すると判定する。
【００２９】
報知部５４は、値引判定部５３によって値引成立が判定された場合に、当該値引対象商品を値引販売する旨をオペレータである客に報知する。報知する方法は特に限定されるものではない。一例として報知部５４は、表示制御部５１およびと協働することにより、値引販売する旨やその値引対象商品の販売価格が値引企画マスタ３６に格納されている値引適用金額に変更されること等をディスプレイ３ｂに表示させる。尚、報知部５４は、図示しないスピーカを用いて値引販売する旨や販売価格の変更について音声出力させることにより、売価変更を報知するとしてもよい。
【００３０】
販売登録部５５は、入力受付部５２が受付けた商品を客が買い上げる商品として販売登録し、客が買い上げる商品の合計買い上げ金額を算出する。また、販売登録部５５は、値引判定部５３が値引成立を判定した場合に、合計買い上げ金額が達している設定金額のうち最も高い設定金額に対する値引適用価格をその値引対象商品の販売価格として適用して、販売登録を行う。
【００３１】
印字制御部５６は、Ｉ／Ｏ機器制御部３９を介してレシートプリンタ３１によるレシート印字を制御する。また、印字制御部５６は、値引判定部５３が値引成立を判定した場合に、値引対象商品に値引適用金額が適用される旨と、適用される値引企画を示す情報とを含めてレシートの印字データを生成する。レシートプリンタ３１はこの印字データを用いてレシート用紙に印字処理を行い、印字後のレシート６０（図１０参照）をレシート発行口１１から発行する。
【００３２】
次に、セルフＰＯＳ１が実行する販売登録処理の手順について、図１１を用いて説明する。図１１は、セルフＰＯＳ１が実行する販売登録処理の手順を示すフローチャートである。
【００３３】
入力受付部５２は、スキャナ４またはハンドスキャナ５によって商品に付されたコードシンボルからそのコードシンボルに記憶された商品コードが読み取られた場合に、その商品コードの入力を受付ける。そして、入力受付部５２は、商品コードの入力を受付けたか否かを判定する（ステップＳ１）。商品コードの入力を受付けない間（ステップＳ１：Ｎｏ）は、ステップＳ１に戻って入力待ちをする。商品コードの入力を受付けた場合（ステップ１：Ｙｅｓ）には、ステップＳ２に移行する。
【００３４】
値引判定部５３は値引企画マスタ３６に基づいて、入力受付部５２が受付けた商品コードの商品が、値引対象商品であるか否かについて判定する（ステップＳ２）。入力受付部５２が受付けた商品コードの商品が値引対象商品でない場合（ステップＳ２：Ｎｏ）には、表示制御部５１は、商品名、価格等を含んだ商品確認画面４２（図６参照）を表示する（ステップＳ３）。そして、販売登録部５５は、ステップＳ１で受付けた商品コードの商品を客が買い上げる商品として販売登録し、商品コード、商品価格等のデータをＲＡＭのワークメモリ内に格納する（ステップＳ４）。表示制御部５１は、商品確認画面４２を所定時間（例えば、２秒など）表示させた後、ステップＳ４で登録した商品の商品名、買い上げ点数、価格、そしてこの商品を含む合計点数、合計金額等の各種情報を更新させて、登録画面４１（図５参照）を表示させる（ステップＳ５）。入力受付部５２は、登録画面４１の会計ボタン４１３が選択されたか否かを判定する（ステップＳ６）。会計ボタン４１３が選択された場合（ステップＳ６：Ｙｅｓ）にはステップＳ２１に移行し、会計ボタン４１３が選択されていない場合（ステップＳ６：Ｎｏ）にはステップＳ１に戻る。
【００３５】
ステップＳ２において、入力受付部５２が受付けた商品コードの商品が値引対象商品である場合（ステップＳ２：Ｙｅｓ）には、値引判定部５３は、値引企画マスタ３６においてこの値引対象商品に対応する値引企画の値引適用期間を読み込み、現在の日時が値引適用期間内であるか否かを判定する（ステップＳ７）。値引期間内である場合（ステップＳ７：Ｙｅｓ）にはステップＳ８に移行する。値引期間外である場合（ステップＳ７：Ｎｏ）にはステップＳ３に移行する。
【００３６】
表示制御部５１は、値引企画マスタ３６から該当する値引企画に設定されている表示メッセージを読み込む（ステップＳ８）。表示制御部５１は、表示メッセージを含む商品確認画面４３（図７参照）の画面データを生成し、ディスプレイ３ｂに該画面を表示させる（ステップＳ９）。
【００３７】
図７は、値引に関する表示メッセージが表示された商品確認画面４３の一例を示す図である。表示制御部５１は例えば、値引企画マスタ３６の表示メッセージ（１）４３１を用いて商品確認画面４３の画面データを生成し、ディスプレイ３ｂに表示させる。
【００３８】
次に、販売登録部５５は、値引対象商品をステップＳ４での処理と同様に販売登録する（ステップＳ１０）。表示制御部５１は、値引企画マスタ３６から該当する値引企画に設定されている表示メッセージを読み込み、この表示メッセージとステップＳ１０で登録された各商品情報とを含めて登録画面４１を図５に示すように更新する（ステップＳ１１）。
【００３９】
図５では、値引に関する表示メッセージを含む登録画面４１の一例を示している。表示制御部５１は例えば、値引企画マスタ３６から表示メッセージ（２）４１１、４１２を用いて登録画面４１の画面データを生成し、ディスプレイ３ｂに表示させる。
【００４０】
入力受付部５２は、登録画面４１において会計ボタン４１３が選択されたか否か判定する（ステップＳ１２）。会計ボタン４１３が選択されていない場合（ステップＳ１２：Ｎｏ）にはステップＳ１に戻る。会計ボタン４１３が選択された場合（ステップＳ１２：Ｙｅｓ）に、販売登録部５５は、ステップＳ５またはステップＳ１０で販売登録された全商品から、ステップＳ３で値引適用期間内と判定された値引対象商品の金額を差し引いて合計買い上げ金額を算出する（ステップＳ１３）。
【００４１】
そして、値引判定部５３は、ステップＳ１３で算出された合計買い上げ金額が、値引企画マスタ３６の設定金額１〜３のうち少なくともいずれか１つに達しているか否かを判定する（ステップＳ１４）。合計買い上げ金額が設定金額１〜３のうちいずれにも達していない場合（ステップＳ１４：Ｎｏ）には、ステップＳ２１に移行する。合計買い上げ金額が設定金額１〜３のうち少なくともいずれか１つに達している場合（ステップＳ１４：Ｙｅｓ）には、ステップＳ１５に移行する。販売登録部５５は、適用可能な値引適用価格のうち、最も安い値引適用価格を値引対象商品の販売価格として適用する（ステップＳ１５）。
【００４２】
即ち、合計買い上げ金額が１３００円である場合には、図３に示す値引企画マスタ３６では、合計買い上げ金額１（５００円）および合計買い上げ金額２（１０００円）とが満たされ、値引適用価格１（２００円）および値引適用価格２（１５０円）が適用可能となる。このような場合に、販売登録部５５は、値引適用価格２をこの商品の値引後の販売価格として適用する。
【００４３】
次に、表示制御部５１は、値引が成立したことを示す値引成立画面４４（図８参照）をディスプレイ３ｂに表示させる（ステップＳ１６）。
【００４４】
図８は、値引成立画面４４の一例を示す図である。図８に示すように、値引成立画面４４には、合計買い上げ金額が値引を適用できる金額に達して値引が成立した旨を示すメッセージ、値引された商品名、値引前後の価格等が表示される。また、値引成立画面４４には、客の確認を促す確認ボタン４４１が設けられている。
【００４５】
入力受付部５２は、値引成立画面４４において確認ボタン４４１が選択されたか否かを判定する（ステップＳ１７）。選択されない間（ステップＳ１７：Ｎｏ）は入力待ちをする。確認ボタン４４１が選択された場合（ステップＳ１７：Ｙｅｓ）には、会計画面４５（図９参照）を表示する（ステップＳ１８）。
【００４６】
図９は、会計画面４５の一例を示す図である。会計画面４５には、値引が成立した場合には値引を反映した後の合計金額が表示される。そして、会計画面４５において支払方法が選択されると、販売登録部５５は各支払方法での会計処理を行う（ステップＳ１９）。そして、印字制御部５６は、値引情報マスタ３６を参照して、成立した値引企画に対して設定されている印字メッセージを含めて印字データを生成する。レシートプリンタ３１は、この印字データを用いてレシートを印字し、レシート発行口１１から発行し（ステップＳ２０）、処理を終了する。
【００４７】
図１０は、値引に関する印字メッセージが印字されたレシート６０の一例を示す図である。図１０に示すように、レシート６０において、値引対象商品にはその商品が値引対象商品であることを示す文字６１またはシンボルが印字される。また、上述のように値引が成立した場合、その値引対象商品の販売価格としては、値引適用金額６２が印字される。さらに、値引成立時のレシート６０には、成立した値引企画の印字メッセージ６３が印字される。
【００４８】
尚、ここでは印字制御部５６が印字メッセージとして文字やシンボルを値引対象商品の直下ラインに印字させる例について示したが、印字制御部５６は値引に関するその他の情報をその他の形態によって印字するとしてもよい。一例として、印字制御部５６は、図５に示した表示メッセージ４１１、４１２のように値引企画をより詳細に示したメッセージをレシート６０に印字するとしてもよい。さらに、印字制御部５６は、レシート６０の下部に成立した値引企画に関する情報を記憶させた２次元コード等を印字するとしてもよい。このようにすることにより、セルフＰＯＳ１の操作中において客に値引企画を報知することができ、客が値引企画を利用しやすくするよう仕向けることができる。
【００４９】
合計買い上げ金額が設定金額１〜３のうちいずれにも達していない場合（ステップＳ１４：Ｎｏ）、或いは値引対象商品が登録されないまま会計ボタン４１３が選択された場合（ステップＳ６：Ｙｅｓ）には、値引処理を行わず、販売登録部５５が登録した商品に関する情報に基づいて会計画面４５を表示する（ステップＳ２１）。そして、販売登録部５５は、ステップＳ１９と同様に会計処理を行う（ステップＳ２２）。また、印字制御部５６は、販売登録部５５が登録した商品に関する情報に基づいてレシートの印字データを生成し、レシートプリンタ３１によってレシート印字を行い（ステップＳ２３）、処理を終了する。
【００５０】
尚、上述のステップＳ１３において、販売登録部５５は、値引対象商品の金額（定価）を差し引いて合計買い上げ金額を算出するとしたが、合計買い上げ金額の算出方法は適宜設定可能である。例えば、販売登録部５５は、値引対象商品の金額を含めて合計買い上げ金額を算出するとしてもよい。
【００５１】
以上説明したとおり、本実施形態によれば、上述した値引企画マスタ３６に基づいて値引が成立するか否かを判定し、値引成立する場合には値引企画マスタ３６を用いて値引販売処理を行うので、合計買い上げ金額に応じて段階的に値引価格が変わるような複雑な値引であっても、オペレータ（セルフＰＯＳの場合は客自身であり、通常のＰＯＳ端末の場合はキャッシャである）に掛かる負担を軽減することができ、迅速かつ正確に値引販売を行い易くすることができる。
【００５２】
なお、本実施形態のセルフＰＯＳ１で実行されるプログラムは、ＲＯＭ等に予め組み込まれて提供される。本実施形態のセルフＰＯＳ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５３】
さらに、本実施形態のセルフＰＯＳ１で実行されるプログラムを、インターネット等のネットワークに接続されたコンピュータ上に格納し、ネットワーク経由でダウンロードさせることにより提供するように構成しても良い。また、本実施形態のセルフＰＯＳ１で実行されるプログラムをインターネット等のネットワーク経由で提供または配布するように構成しても良い。
【００５４】
本実施形態のセルフＰＯＳ１で実行されるプログラムは、上述した各部（表示制御部５１、入力受付部５２、値引判定部５３、報知部５４、販売登録部５５、印字制御部５６）を含むモジュール構成となっており、実際のハードウェアとしてはＣＰＵ（プロセッサ）が上記ＲＯＭからプログラムを読み出して実行することにより上記各部が主記憶装置上にロードされ、表示制御部５１、入力受付部５２、値引判定部５３、報知部５４、販売登録部５５、印字制御部５６が主記憶装置上に生成されるようになっている。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…セルフＰＯＳ、２…本体、３ａ…タッチパネル、３ｂ…ディスプレイ、４…スキャナ、５…ハンドスキャナ、６、７…商品載置台、８…袋掛けフック、９…一時置き台、１０…カード挿入口、１１…レシート発行口、１２…紙幣入出金口、１３…硬貨投入口、１４…硬貨取出口、１５…警告灯、４１…登録画面、４１１…表示メッセージ、４１３…会計ボタン、４２…商品確認画面、４３…商品確認画面、４４…値引成立画面、４４１…確認ボタン、４５…会計画面、６０…レシート、６１…文字、６２…値引適用金額、６３…印字メッセージ
【先行技術文献】
【特許文献】
【００５７】
【特許文献１】特開２０１０−２７７３９８号公報
【図１】
0005450530.tif 000002
【図２】
0005450530.tif 000003
【図３】
0005450530.tif 000004
【図４】
0005450530.tif 000005
【図５】
0005450530.tif 000006
【図６】
0005450530.tif 000007
【図７】
0005450530.tif 000008
【図８】
0005450530.tif 000009
【図９】
0005450530.tif 000010
【図１０】
0005450530.tif 000011
【図１１】
0005450530.tif 000012